(57)【要約】     【課題】  グランドの溝から出没させる形式の縁石に於いて、出没時の変更作業を簡単にする。    【解決手段】  グランドに形成した溝２と、この溝に出没自在な縁石本体１とからなる。縁石本体１の両端下面に足支持材４を設け、この足支持材４に足３を軸５によって回動自在に取付ける。他方、溝２には足受１４を設ける。縁石使用時には、足３を下向き突出状態にして、足受１４に嵌着させ、縁石本体１を溝２から突き出た状態で支持し、縁石不使用時には、足３を水平向きの折畳み状態にして、縁石本体１を足受１４の上に載置し、溝２に没入させる。【選択図】  図１
0003101662.tif 000002
【実用新案登録請求の範囲】
【請求項１】
グランドに形成された溝と、この溝に出没自在な縁石本体とからなり、縁石本体の両端下面には足が設けられ、かつ、この足は、下向き突出状態と、水平向き折畳み状態とに回動自在であり、他方、溝には足受が設けられていて、この足受には足が嵌着結合可能で、縁石使用時には、足を下向きに突出させて、足受けに結合させて、縁石本体を溝から上方に突き出た状態で支持し、縁石不使用時には、足を水平に折畳んで、縁石本体を足受の上に載置して、縁石本体を溝内に没入させるようになっている競技場の縁石。
【請求項２】
縁石本体の両端下面に足支持材が取付けられ、この足支持材に足が回動自在に軸支持され、更に、足と足支持材とには、下向き突出位置と、水平向き折畳み位置とで、足を係止するストッパー機構が設けられている請求項１記載の競技場の縁石。
【考案の詳細な説明】
【技術分野】
【０００１】
本考案は、陸上競技場などのトラックの内圏に設ける縁石の改良に関する。
【背景技術】
【０００２】
従来から競技場などに於いて、トラックの使用時と不使用時とに、縁石をグランド面から出没させるようにすることは、既に実施されている。その構成は、長尺の縁石本体の両端下面に足を取付ける一方、グランドには、細い溝を設け、かつ、この溝内に足受を設け、この足受に縁石本体の足を嵌着させて設置する方式が一般的である。そして、縁石の出没時の作業としては、突出時には足受に足を嵌着させるようにし、没入時には、足受とは嵌合させずに、縁石をずらせて設置するようにして出没対応する形式（例えば、特許文献１参照）や、足受を１８０度回転させて倒立させ、正倒両時の足受の高さで、出没両位置に対応するようにした形式（例えば、特許文献２参照）などがある。
【０００３】
【特許文献１】実用新案登録第２５４０５２６号公報
【特許文献２】実用新案登録第２５０９２６８号公報
【考案の開示】
【考案が解決しようとする課題】
【０００４】
ところが、前記従来の縁石に於いて、例えば、没入時の位置をずらす方式では、縁石を完全に垂直方向に昇降移動させる訳ではないので、没入時か、突出時かに、縁石に隙間ができるという問題がある。また、足受を反転させる方式では、足受が可動である為に、足と足受との結合作業が難しくなり、１人では出没作業ができないという問題がある。
【０００５】
本考案は、このような点に鑑み、縁石の出没作業が簡単で、かつ、出没両時の平面位置が同じで、縁石に隙間のできない競技場の縁石を提供するにある。
【課題を解決するための手段】
【０００６】
本考案の縁石の技術的手段は、グランドに形成された溝と、この溝に出没自在な縁石本体からなり、縁石本体の両端下面には足が設けられ、かつ、この足は、下向き突出状態と、水平向き折畳み状態とに回動自在であり、他方、溝には足受が設けられていて、この足受には足が嵌着結合可能で、縁石使用時には、足を下向きに突出させて、足受けに結合させて、縁石本体を溝から上方に突き出た状態で支持し、縁石不使用時には、足を水平に折畳んで、縁石本体を足受の上に載置して、縁石本体を溝内に没入させるようになっていることにある。
【０００７】
また、縁石本体の両端下面に足支持材を取付け、この足支持材に足を回動自在に軸支持し、更に、足と足支持材とに、下向き突出位置と、水平向き折畳み位置とで、足を係止するストッパー機構を設けてもよい。
【考案の効果】
【０００８】
本考案の縁石では、縁石本体に取付けられた足を折畳む形式で、縁石使用時と縁石不使用時とに対応するので、使用状態変更の作業が簡単で、１人の作業者で短時間に変更作業を終えることができる。更に、足と足受との結合は嵌着形式であり、この際、足受は固定されているので、結合は極めて容易である。また、縁石本体は溝から完全に垂直に移動させるので、従来のずらす方式のように隙間のできることはない。
【０００９】
請求項２のものでは、ストッパー機構が付いていて、足がふらつくことがないので、足を足受に結合させる際にも、足受に載置する際にも都合がよい。
【考案を実施するための最良の形態】
【００１０】
本考案の縁石の実施するための最良の形態を、図面の実施例に基づいて説明する。図１は、縁石本体１を、グランドの溝２から抜き取った状態である。縁石本体１の横幅と、溝２の幅とはほぼ合致させてあり、縁石本体１は溝２に対して出没自在である。また縁石本体１は通常、１〜４ｍ程度の長尺体である。縁石本体１の両端の下面には、足３が足支持材４によって取付けられている。足３は、下部が丸パイプ状で、上部は角パイプ状であり、上部に於いて、軸５によって足支持材４に折畳み自在に取付けられている。足支持材４は溝状で、縁石本体１の下面に固着されていて、足支持材４の両側壁間に掛け渡された軸５で足３を回動自在に支持している。
【００１１】
足３には、垂直下方に向けて突出させた状態と、水平に向けて折畳んだ状態とに於いて、足を係止するストッパー機構が付いている。即ち、足支持材４の両壁間には当り材６が取付けられていて、足３が垂直の突出位置に来た時に、足３と衝突して、足３の位置決めを図り、また、足支持材４の両壁には孔７が設けられ、他方、足３には突起８が設けられていて、足３を水平方向に折畳んだ時に、この孔７と突起８とが係合して、位置決めと保持とができるようになっている。
【００１２】
グランド面の溝２は、金属材製の溝壁で構成されていて、溝壁は、左右の側壁１１、１１と底壁１２とからなり、上面は開放されている。左右の側壁１１、１１間に、足受支持材１３が掛け渡すように固着され、この足受支持材１３に足受１４が取付けられている。足受１４は丸パイプ状で、上端にフランジ１５が設けられていて、このフランジ１５が足受支持材１３にボルト１６で固着されている。
【００１３】
従って、縁石本体１の足３を下向けに突出させて、足受１４に挿込めば、図２、図３の状態となり、縁石本体１はグランド面ＧＬから突出した状態で、固定保持される。また、縁石本体１の足３を、水平に折り畳んで、図４のように足受１４の上に載置させれば、縁石本体１は溝２内に没入して、縁石本体１の上面と、グランド面とが面一状態になり、縁石本体１は没入収納状態となる。なお、足受のボルト頭１６を回避する為、足３の壁面に孔９が形成され、かつ、当り材６には切欠１０が形成されている。この結果、ボルト頭１６の存在にかかわらず、縁石本体１を足受１４上に正確な高さで載置可能である。
【００１４】
本考案は、前記の実施例に限定されるものではなく、実用新案登録請求の範囲の記載の範囲内で自由に変形実施可能である。特に、足や足受、更にはストッパー機構の構造の詳細は自由である。
【図面の簡単な説明】
【００１５】
【図１】縁石の抜き出し分離状態の断面図。
【図２】縁石を突出させた使用状態の断面図。
【図３】図２のＡ−Ａ断面図。
【図４】縁石を没入させた不使用状態の断面図。
【符号の説明】
【００１６】
１      縁石本体
２      溝
３      足
４      足支持材
５      軸
６      当り材
７      孔
８      突起
９      孔
１０    切欠
１１    側壁
１３    足受支持材
１４    足受
１６    ボルト頭
【図１】
0003101662.tif 000003
【図２】
0003101662.tif 000004
【図３】
0003101662.tif 000005
【図４】
0003101662.tif 000006